(57)【特許請求の範囲】
【請求項１】
コンテンツを再生するコンテンツ再生装置と、前記コンテンツ再生装置からコンテンツを受信し、コンテンツ受信装置にコンテンツを送信するコンテンツ送受信装置とを備え、
前記コンテンツ送受信装置が、
前記コンテンツ受信装置がユーザ操作によって電源オフ状態とされるときに前記コンテンツ受信装置から送信される電源オフコマンドを、有効または無効に設定する設定手段と、
前記設定手段によって前記電源オフコマンドが無効に設定される場合、前記コンテンツ再生装置に電源オフコマンド無効設定指示を送信し、前記設定手段によって前記電源オフコマンドが有効に設定される場合、前記コンテンツ再生装置に電源オフコマンド有効設定指示を送信する指示手段と、
前記電源オフコマンドを前記コンテンツ受信装置から受信したとき、前記設定手段によって前記電源オフコマンドが無効に設定されている場合、前記コンテンツ送受信装置を電源オン状態に維持し、前記設定手段によって前記電源オフコマンドが有効に設定されている場合、前記コンテンツ送受信装置を電源オフ状態に移行させる手段とを備え、
前記コンテンツ再生装置が、
前記コンテンツ送受信装置から、前記電源オフコマンド無効設定指示を受信したとき、前記電源オフコマンドを無効に設定し、前記電源オフコマンド有効設定指示を受信したとき、前記電源オフコマンドを有効に設定する第２設定手段と、
前記電源オフコマンドを前記コンテンツ受信装置から受信したとき、前記第２設定手段によって前記電源オフコマンドが無効に設定されている場合、前記コンテンツ再生装置を電源オン状態に維持し、前記第２設定手段によって前記電源オフコマンドが有効に設定されている場合、前記コンテンツ再生装置を電源オフ状態に移行させる手段とを備える、コンテンツ送受信システム。
【請求項２】
コンテンツを再生する１又は複数のコンテンツ再生装置と、前記コンテンツ再生装置からコンテンツを受信し、コンテンツ受信装置にコンテンツを送信するコンテンツ送受信装置とを備え、
前記コンテンツ送受信装置が、
前記コンテンツ再生装置が接続可能な複数の入力端子と、
前記複数の入力端子に接続される各コンテンツ再生装置について、前記コンテンツ受信装置がユーザ操作によって電源オフ状態とされるときに前記コンテンツ受信装置から送信される電源オフコマンドを有効または無効に設定する設定手段と、
前記複数の入力端子に接続される各コンテンツ再生装置のうち、前記設定手段によって前記電源オフコマンドが無効に設定されているコンテンツ再生装置に、電源オフコマンド無効設定指示を送信し、前記設定手段によって前記電源オフコマンドが有効に設定されているコンテンツ再生装置に、電源オフコマンド有効設定指示を送信する指示手段と、
前記電源オフコマンドを前記コンテンツ受信装置から受信したとき、前記設定手段によっていずれかの前記コンテンツ再生装置について前記電源オフコマンドが無効に設定されている場合、前記コンテンツ送受信装置を電源オン状態に維持し、前記設定手段によっていずれのコンテンツ再生装置についても前記電源オフコマンドが無効に設定されていない場合、前記コンテンツ送受信装置を電源オフ状態に移行させる手段とを備え、
前記コンテンツ再生装置が、
前記コンテンツ送受信装置から、前記電源オフコマンド無効設定指示を受信したとき、前記電源オフコマンドを無効に設定し、前記電源オフコマンド有効設定指示を受信したとき、前記電源オフコマンドを有効に設定する第２設定手段と、
前記電源オフコマンドを前記コンテンツ受信装置から受信したとき、前記第２設定手段によって前記電源オフコマンドが無効に設定されている場合、前記コンテンツ再生装置を電源オン状態に維持し、前記第２設定手段によって前記電源オフコマンドが有効に設定されている場合、前記コンテンツ再生装置を電源オフ状態に移行させる手段とを備える、コンテンツ送受信システム。
【請求項３】
請求項１に記載のコンテンツ送受信システムに適用される前記コンテンツ送受信装置であって、
前記コンテンツ受信装置がユーザ操作によって電源オフ状態とされるときに前記コンテンツ受信装置から送信される電源オフコマンドを、有効または無効に設定する設定手段と、
前記設定手段によって前記電源オフコマンドが無効に設定される場合、前記コンテンツ再生装置に電源オフコマンド無効設定指示を送信し、前記設定手段によって前記電源オフコマンドが有効に設定される場合、前記コンテンツ再生装置に電源オフコマンド有効設定指示を送信する指示手段と、
前記電源オフコマンドを前記コンテンツ受信装置から受信したとき、前記設定手段によって前記電源オフコマンドが無効に設定されている場合、前記コンテンツ送受信装置を電源オン状態に維持し、前記設定手段によって前記電源オフコマンドが有効に設定されている場合、前記コンテンツ送受信装置を電源オフ状態に移行させる手段とを備える、コンテンツ送受信装置。
【請求項４】
請求項２に記載のコンテンツ送受信システムに適用される前記コンテンツ送受信装置であって、
前記コンテンツ再生装置が接続可能な複数の入力端子と、
前記複数の入力端子に接続される各コンテンツ再生装置について、前記コンテンツ受信装置がユーザ操作によって電源オフ状態とされるときに前記コンテンツ受信装置から送信される電源オフコマンドを有効または無効に設定する設定手段と、
前記複数の入力端子に接続される各コンテンツ再生装置のうち、前記設定手段によって前記電源オフコマンドが無効に設定されているコンテンツ再生装置に、電源オフコマンド無効設定指示を送信し、前記設定手段によって前記電源オフコマンドが有効に設定されているコンテンツ再生装置に、電源オフコマンド有効設定指示を送信する指示手段と、
前記電源オフコマンドを前記コンテンツ受信装置から受信したとき、前記設定手段によっていずれかの前記コンテンツ再生装置について前記電源オフコマンドが無効に設定されている場合、前記コンテンツ送受信装置を電源オン状態に維持し、前記設定手段によっていずれのコンテンツ再生装置についても前記電源オフコマンドが無効に設定されていない場合、前記コンテンツ送受信装置を電源オフ状態に移行させる手段とを備える、コンテンツ送受信装置。
【請求項５】
請求項１または２に記載のコンテンツ送受信システムに適用される前記コンテンツ再生装置であって、
前記コンテンツ送受信装置から、前記電源オフコマンド無効設定指示を受信したとき、前記電源オフコマンドを無効に設定し、前記電源オフコマンド有効設定指示を受信したとき、前記電源オフコマンドを有効に設定する第２設定手段と、
前記電源オフコマンドを前記コンテンツ受信装置から受信したとき、前記第２設定手段によって前記電源オフコマンドが無効に設定されている場合、前記コンテンツ再生装置を電源オン状態に維持し、前記第２設定手段によって前記電源オフコマンドが有効に設定されている場合、前記コンテンツ再生装置を電源オフ状態に移行させる手段とを備える、コンテンツ再生装置。
【請求項６】
第１機器と、第２機器とを備え、
前記第１機器が、
第３機器がユーザ操作によって電源オフ状態とされるときに前記第３機器から送信される電源オフコマンドを、有効または無効に設定する設定手段と、
前記設定手段によって前記電源オフコマンドが無効に設定される場合、前記第２機器に電源オフコマンド無効設定指示を送信し、前記設定手段によって前記電源オフコマンドが有効に設定される場合、前記第２機器に電源オフコマンド有効設定指示を送信する指示手段と、
前記電源オフコマンドを前記第３機器から受信したとき、前記設定手段によって前記電源オフコマンドが無効に設定されている場合、前記第１機器を電源オン状態に維持し、前記設定手段によって前記電源オフコマンドが有効に設定されている場合、前記第１機器を電源オフ状態に移行させる手段とを備え、
前記第２機器が、
前記第１機器から、前記電源オフコマンド無効設定指示を受信したとき、前記電源オフコマンドを無効に設定し、前記電源オフコマンド有効設定指示を受信したとき、前記電源オフコマンドを有効に設定する第２設定手段と、
前記電源オフコマンドを前記第３機器から受信したとき、前記第２設定手段によって前記電源オフコマンドが無効に設定されている場合、前記第２機器を電源オン状態に維持し、前記第２設定手段によって前記電源オフコマンドが有効に設定されている場合、前記第２機器を電源オフ状態に移行させる手段とを備える、通信システム。
【請求項７】
請求項６に記載の通信システムに適用される前記第１機器であって、
第３機器がユーザ操作によって電源オフ状態とされるときに前記第３機器から送信される電源オフコマンドを、有効または無効に設定する設定手段と、
前記設定手段によって前記電源オフコマンドが無効に設定される場合、前記第２機器に電源オフコマンド無効設定指示を送信し、前記設定手段によって前記電源オフコマンドが有効に設定される場合、前記第２機器に電源オフコマンド有効設定指示を送信する指示手段と、
前記電源オフコマンドを前記第３機器から受信したとき、前記設定手段によって前記電源オフコマンドが無効に設定されている場合、前記第１機器を電源オン状態に維持し、前記設定手段によって前記電源オフコマンドが有効に設定されている場合、前記第１機器を電源オフ状態に移行させる手段とを備える、第１機器。
【請求項８】
請求項６に記載の通信システムに適用される前記第２機器であって、
前記第１機器から、前記電源オフコマンド無効設定指示を受信したとき、前記電源オフコマンドを無効に設定し、前記電源オフコマンド有効設定指示を受信したとき、前記電源オフコマンドを有効に設定する第２設定手段と、
前記電源オフコマンドを前記第３機器から受信したとき、前記第２設定手段によって前記電源オフコマンドが無効に設定されている場合、前記第２機器を電源オン状態に維持し、前記第２設定手段によって前記電源オフコマンドが有効に設定されている場合、前記第２機器を電源オフ状態に移行させる手段とを備える、第２機器。
【発明の詳細な説明】
【技術分野】
【０００１】
本発明は、コンテンツ送受信装置、及び、コンテンツ再生装置を備えるコンテンツ送受信システム、又は、第１機器、及び、第２機器を備える通信システムに関する。
【背景技術】
【０００２】
ＤＶＤプレーヤと、ＡＶアンプと、ディスプレイ装置とを備えるコンテンツ送受信システムが利用されている。ＤＶＤを再生する場合、ＤＶＤプレーヤは、ＤＶＤから映像データ及び音声データを読み出して、ＨＤＭＩデータに変換し、ＡＶアンプに送信する。ＡＶアンプは、音声データに音声処理を実行し、スピーカーから音声を出力する。ＡＶアンプは、映像データをＨＤＭＩデータに変換し、ディスプレイ装置に送信する。ディスプレイ装置は、ＡＶアンプから供給された映像データに映像処理を実行し、表示装置に表示する。また、ＣＤを再生する場合、ＤＶＤプレーヤは、ＣＤから音声データを読み出して、ＨＤＭＩデータに変換し、ＡＶアンプに送信する。ＡＶアンプは、音声データに音声処理を実行し、スピーカーから音声を出力する。
【０００３】
ここで、ＤＶＤを再生している状態からＣＤを再生している状態に変更する際に、ディスプレイ装置は電源オン状態である必要がなくなるので、ユーザはディスプレイ装置をスタンバイ状態にする指示をディスプレイ装置に入力する。ＤＶＤプレーヤとＡＶアンプとディスプレイ装置とがＨＤＭＩのＣＥＣラインで接続されている場合、ユーザ操作によってディスプレイ装置にスタンバイ状態にする指示が入力されると、ディスプレイ装置は、CECラインを介してＡＶアンプやＤＶＤプレーヤ等の他の全機器にシステムスタンバイコマンドを送信した後に、スタンバイ状態に移行する。ＡＶアンプやＤＶＤプレーヤはシステムスタンバイコマンドを受信すると、スタンバイ状態に移行する。従って、ＣＤの音声をＡＶアンプとＤＶＤプレーヤとで再生する場合、ユーザ操作によって、再度、ＡＶアンプおよびＤＶＤプレーヤに電源オン状態にする指示を入力し、ＡＶアンプおよびＤＶＤプレーヤを電源オン状態に移行させる必要がある。したがって、この操作が非常に煩雑である。
【先行技術文献】
【特許文献】
【０００４】
【特許文献１】特開２００７−１７９７０７号公報
【発明の概要】
【発明が解決しようとする課題】
【０００５】
本発明は上記従来の課題を解決するためになされたものであり、その目的は、ディスプレイ装置およびディスプレイ装置に接続されている他の機器を電源オフ状態にする際にも、コンテンツを送受信する必要のある機器の電源はオン状態を維持することができるコンテンツ送受信システムを提供することである。
【課題を解決するための手段】
【０００６】
本発明の好ましい実施形態によるコンテンツ送受信システムは、コンテンツを再生するコンテンツ再生装置と、前記コンテンツ再生装置からコンテンツを受信し、コンテンツ受信装置にコンテンツを送信するコンテンツ送受信装置とを備え、前記コンテンツ送受信装置が、前記コンテンツ受信装置がユーザ操作によって電源オフ状態とされるときに前記コンテンツ受信装置から送信される電源オフコマンドを、有効または無効に設定する設定手段と、前記設定手段によって前記電源オフコマンドが無効に設定される場合、前記コンテンツ再生装置に電源オフコマンド無効設定指示を送信し、前記設定手段によって前記電源オフコマンドが有効に設定される場合、前記コンテンツ再生装置に電源オフコマンド有効設定指示を送信する指示手段と、前記電源オフコマンドを前記コンテンツ受信装置から受信したとき、前記設定手段によって前記電源オフコマンドが無効に設定されている場合、前記コンテンツ送受信装置を電源オン状態に維持し、前記設定手段によって前記電源オフコマンドが有効に設定されている場合、前記コンテンツ送受信装置を電源オフ状態に移行させる手段とを備え、前記コンテンツ再生装置が、前記コンテンツ送受信装置から、前記電源オフコマンド無効設定指示を受信したとき、前記電源オフコマンドを無効に設定し、前記電源オフコマンド有効設定指示を受信したとき、前記電源オフコマンドを有効に設定する第２設定手段と、前記電源オフコマンドを前記コンテンツ受信装置から受信したとき、前記第２設定手段によって前記電源オフコマンドが無効に設定されている場合、前記コンテンツ再生装置を電源オン状態に維持し、前記第２設定手段によって前記電源オフコマンドが無効に設定されている場合、前記コンテンツ再生装置を電源オフ状態に移行させる手段とを備える。
【０００７】
コンテンツ送受信装置が設定手段によって電源オフコマンドが無効に設定されると、コンテンツ再生装置も電源オフコマンドが無効に設定される。従って、コンテンツ受信装置を電源オフ状態にする際に、コンテンツ受信装置から他の機器に電源オフコマンドが送信された場合でも、コンテンツ再生装置とコンテンツ送受信装置は、電源オフコマンドを無視して、電源オン状態を維持する。その結果、例えば、音声のみを再生するためにコンテンツ受信装置が電源オフ状態とされる場合でも、音声を再生する必要のあるコンテンツ再生装置およびコンテンツ送受信装置を電源オン状態に維持でき、ユーザ操作によって、再度、コンテンツ再生装置およびコンテンツ送受信装置を電源オン状態に移行する指示を入力する必要がない。
【０００８】
本発明の別の好ましい実施形態によるコンテンツ送受信システムは、コンテンツを再生する１又は複数のコンテンツ再生装置と、前記コンテンツ再生装置からコンテンツを受信し、コンテンツ受信装置にコンテンツを送信するコンテンツ送受信装置とを備え、前記コンテンツ送受信装置が、前記コンテンツ再生装置が接続可能な複数の入力端子と、前記複数の入力端子に接続される各コンテンツ再生装置について、前記コンテンツ受信装置がユーザ操作によって電源オフ状態とされるときに前記コンテンツ受信装置から送信される電源オフコマンドを有効または無効に設定する設定手段と、前記複数の入力端子に接続される各コンテンツ再生装置のうち、前記設定手段によって前記電源オフコマンドが無効に設定されているコンテンツ再生装置に、電源オフコマンド無効設定指示を送信し、前記設定手段によって前記電源オフコマンドが有効に設定されているコンテンツ再生装置に、電源オフコマンド有効設定指示を送信する指示手段と、前記電源オフコマンドを前記コンテンツ受信装置から受信したとき、前記設定手段によっていずれかの前記コンテンツ再生装置について前記電源オフコマンドが無効に設定されている場合、前記コンテンツ送受信装置を電源オン状態に維持し、前記設定手段によっていずれのコンテンツ再生装置についても前記電源オフコマンドが無効に設定されていない場合、前記コンテンツ送受信装置を電源オフ状態に移行させる手段とを備え、前記コンテンツ再生装置が、前記コンテンツ送受信装置から、前記電源オフコマンド無効設定指示を受信したとき、前記電源オフコマンドを無効に設定し、前記電源オフコマンド有効設定指示を受信したとき、前記電源オフコマンドを有効に設定する第２設定手段と、前記電源オフコマンドを前記コンテンツ受信装置から受信したとき、前記第２設定手段によって前記電源オフコマンドが無効に設定されている場合、前記コンテンツ再生装置を電源オン状態に維持し、前記第２設定手段によって前記電源オフコマンドが有効に設定されている場合、前記コンテンツ再生装置を電源オフ状態に移行させる手段とを備える。
【０００９】
コンテンツ送受信装置において、コンテンツ送受信装置に接続される複数のコンテンツ再生装置のうちいずれかのコンテンツ再生装置が設定手段によって電源オフコマンドが無効となるように設定されると、当該コンテンツ再生装置が電源オフコマンドが無効に設定される。従って、コンテンツ受信装置を電源オフ状態にする際に、コンテンツ受信装置から他の機器に電源オフコマンドが送信された場合でも、電源オフコマンドが無効に設定されているコンテンツ再生装置とコンテンツ送受信装置は、電源オフコマンドを無視して、電源オン状態を維持する。その結果、例えば、音声のみを再生するためにコンテンツ受信装置が電源オフ状態とされる場合でも、音声を再生する必要のあるコンテンツ再生装置およびコンテンツ送受信装置を電源オン状態に維持でき、ユーザ操作によって、再度、コンテンツ再生装置およびコンテンツ送受信装置を電源オン状態に移行する指示を入力する必要がない。電源オフコマンドが有効に設定されている他の機器は電源オフコマンドに応じて電源オフ状態に移行するので、ユーザ操作を要することなく自動的に電源オフ状態に移行することができる。
【００１０】
本発明の好ましい実施形態による通信システムは、第１機器と、第２機器とを備え、前記第１機器が、  第３機器がユーザ操作によって電源オフ状態とされるときに前記第３機器から送信される電源オフコマンドを、有効または無効に設定する設定手段と、前記設定手段によって前記電源オフコマンドが無効に設定される場合、前記第２機器に電源オフコマンド無効設定指示を送信し、前記設定手段によって前記電源オフコマンドが有効に設定される場合、前記第２機器に電源オフコマンド有効設定指示を送信する指示手段と、前記電源オフコマンドを前記第３機器から受信したとき、前記設定手段によって前記電源オフコマンドが無効に設定されている場合、前記第１機器を電源オン状態に維持し、前記設定手段によって前記電源オフコマンドが有効に設定されている場合、前記第１機器を電源オフ状態に移行させる手段とを備え、前記第２機器が、前記第１機器から、前記電源オフコマンド無効設定指示を受信したとき、前記電源オフコマンドを無効に設定し、前記電源オフコマンド有効設定指示を受信したとき、前記電源オフコマンドを有効に設定する第２設定手段と、前記電源オフコマンドを前記第３機器から受信したとき、前記第２設定手段によって前記電源オフコマンドが無効に設定されている場合、前記第２機器を電源オン状態に維持し、前記第２設定手段によって前記電源オフコマンドが有効に設定されている場合、前記第２機器を電源オフ状態に移行させる手段とを備える。
【００１１】
第１機器が設定手段によって電源オフコマンドが無効に設定されると、第２機器も電源オフコマンドが無効に設定される。従って、第３機器を電源オフ状態にする際に、第３機器から他の機器に電源オフコマンドが送信された場合でも、第１機器と第２機器は、電源オフコマンドを無視して、電源オン状態を維持する。その結果、第３機器のみを動作させないために第３機器が電源オフ状態とされる場合でも、動作する必要のある第１機器および第２機器を電源オン状態に維持でき、ユーザ操作によって、再度、第１機器および第２機器を電源オン状態に移行する指示を入力する必要がない。特に限定されないが、第１機器がＡＶアンプ、第２機器がＤＶＤプレーヤ、第３機器がディスプレイ装置でもよく、第１機器がＤＶＤプレーヤ、第２機器がＡＶアンプ、第３機器がディスプレイ装置でもよく、第１機器がＡＶアンプ、第２機器がディスプレイ装置、第３機器がＤＶＤプレーヤでもよく、第１機器がディスプレイ装置、第２機器がＡＶアンプ、第３機器がＤＶＤプレーヤでもよい。
【発明の効果】
【００１２】
ディスプレイ装置およびディスプレイ装置に接続されている他の機器を電源オフ状態にする際にも、コンテンツを送受信する必要のある機器の電源はオン状態を維持することができるコンテンツ送受信システムを提供することができる。
【図面の簡単な説明】
【００１３】
【図１】ＤＶＤプレーヤ１０Ａ〜１０Ｃ、ＡＶアンプ２０及びディスプレイ装置４０の接続構成を示す図である。
【図２】ＤＶＤプレーヤ１０、ＡＶアンプ２０及びディスプレイ装置４０の構成を示すブロック図である。
【図３】コマンド無効設定テーブルを示す図である。
【図４】ＡＶアンプ２０の動作を説明するフローチャートである。
【図５】ＤＶＤプレーヤ１０の動作を説明するフローチャートである。
【図６】ＡＶアンプ２０の動作を説明するフローチャートである。
【図７】ディスプレイ装置４０の動作を説明するフローチャートである。
【図８】ＤＶＤプレーヤ１０の動作を説明するフローチャートである。
【図９】他の実施形態によるＡＶアンプ２０の動作を説明するフローチャートである。
【発明を実施するための形態】
【００１４】
以下、本発明の好ましい実施形態によるＤＶＤプレーヤ（コンテンツ再生装置、第２機器）、ＡＶアンプ（コンテンツ送受信装置、第１機器）及びディスプレイ装置（コンテンツ受信装置、第３機器）を備えるコンテンツ送受信システム（通信システム）について、図面を参照して具体的に説明するが、本発明はこれらの実施形態には限定されない。本例において、コンテンツは、映像（画像も含む、以下同様。）データおよび／または音声データ等である。ＤＶＤプレーヤ、ＡＶアンプおよびディスプレイ装置は、図示しない電源回路の電源状態として、電源オン状態とスタンバイ状態とを有する。電源オン状態は、電源回路から各機器の全体に電源電圧が供給され各機器が動作を実行可能な状態である。スタンバイ状態は電源オフ状態の一態様であり、後述する制御部（及びその周辺回路）のみ電源電圧が供給され、制御部のみが動作を実行可能な状態である。
【００１５】
図１は、ＤＶＤプレーヤ１０Ａ〜１０C、ＡＶアンプ２０及びディスプレイ装置４０の接続構成を示すブロック図である。ＤＶＤプレーヤ１０Ａは、ＡＶアンプ２０のＨＤＭＩ入力ＩＮ１に接続され、ＤＶＤプレーヤ１０Bは、ＡＶアンプ２０のＨＤＭＩ入力ＩＮ２に接続されている。ＡＶアンプ２０はディスプレイ装置４０のＨＤＭＩ入力ＩＮ１に接続され、ＤＶＤプレーヤ１０Cは、ディスプレイ装置４０のＨＤＭＩ入力ＩＮ２に接続されている。これらの機器は、ＨＤＭＩ規格に準拠しており、ＨＤＭＩケーブルを介して相互に接続されている。図２は、ＤＶＤプレーヤ１０Ａ、ＡＶアンプ２０およびディスプレイ装置４０を示すブロック図である。なお、ＤＶＤプレーヤ１０Ｂ、１０Ｃは説明を簡単化するために記載を省略している。
【００１６】
［ＤＶＤプレーヤ１０の構成］
ＤＶＤプレーヤ１０は、再生部１１と、ＨＤＭＩ送信部１２と、制御部１３と、操作部１４と、表示部１５と、メモリ１６と、コネクタ部１７とを有している。
【００１７】
再生部１１は、ＤＶＤが挿入された時、ＤＶＤに記録されている映像データ及び音声データを読み出して、デコードし、ＨＤＭＩ送信部１２に供給する。また、再生部１１は、ＣＤが挿入された時、ＣＤに記録されている音声データを読み出して、デコードし、ＨＤＭＩ送信部１２に供給する。
【００１８】
ＨＤＭＩ送信部１２は、再生部１１から供給された映像データ及び／又は音声データを、制御部１３からのコマンドにより、ＨＤＭＩ規格のデータ（以下、ＨＤＭＩデータという。）に変換する。ＨＤＭＩ送信部１２は、ＨＤＭＩデータを、コネクタ部１７を介してＡＶアンプ２０に送信する。
【００１９】
制御部１３は、メモリ１６に格納されているＤＶＤプレーヤの動作プログラムに基づいて、ＤＶＤプレーヤ１０の各部を制御するものであり、例えば、マイコンやＣＰＵ等である。制御部１３は、操作部１４からの操作入力または各部からの制御信号およびデータに基づいて各種処理を実行する。
【００２０】
制御部１３は、ＨＤＭＩのＣＥＣラインを介してＡＶアンプ２０の制御部２５やディスプレイ装置４０の制御部４４に接続され、制御部２５、４４とコマンドおよび／またはデータを送受信する。制御部１３は、ＡＶアンプ２０の制御部２５からシステムスタンバイコマンド無効設定指示を受信したとき、ディスプレイ装置４０の制御部４４からシステムスタンバイコマンドを受信した際にスタンバイ状態に移行しないように、システムスタンバイコマンドを無効に設定する（すなわち、無効に設定するとは、無効とすることをメモリ１６に記憶することを意味する、以下同様。）。制御部１３は、ＡＶアンプ２０の制御部２５からシステムスタンバイコマンド有効設定指示を受信したとき、ディスプレイ装置４０の制御部４４からシステムスタンバイコマンドを受信した際にスタンバイ状態に移行するように、システムスタンバイコマンドを有効に設定する（すなわち、有効に設定するとは、有効とすることをメモリ１６に記憶することを意味する、以下同様。）。
【００２１】
［ＡＶアンプの構成］
ＡＶアンプ２０は、ＨＤＭＩ受信部２１と、画像処理部２２と、ＨＤＭＩ送信部２３と、音声処理部２４と、制御部２５と、操作部２６と、表示部２７と、メモリ２８と、コネクタ部２９（図１のＨＤＭＩ入力ＩＮ１に対応。）と、コネクタ部３０とを有している。なお、図１のＨＤＭＩ入力ＩＮ２に対応するコネクタ部は説明を簡単化するために省略している。
【００２２】
ＨＤＭＩ受信部２１は、ＤＶＤプレーヤ１０から送信されたＨＤＭＩデータを受信し、受信したＨＤＭＩデータから元の映像データ（ＨＤＭＩ変換前の映像データ）を生成し、画像処理部２２に供給する。また、ＨＤＭＩ受信部２１は、受信したＨＤＭＩデータから元の音声データを生成し、音声処理部２４に供給する。
【００２３】
画像処理部２２は、ＨＤＭＩ受信部２１から供給された映像データに画像処理（明るさ及び色合い等の調整、解像度変換等）を実行し、ＨＤＭＩ送信部２３に供給する。ＨＤＭＩ送信部２３は、画像処理部２２から供給された映像データをＨＤＭＩデータに変換する。ＨＤＭＩ送信部２３は、コネクタ部３０を介してディスプレイ装置４０にＨＤＭＩデータを送信する。
【００２４】
音声処理部２４は、ＨＤＭＩ受信部２１から供給された音声データに対して、例えば、信号処理、遅延処理、イコライザ処理、音量調整処理、増幅処理、ＤＡ変換等の音声処理を実行し、外部に接続されたスピーカー６０に音声信号を供給する。
【００２５】
制御部２５は、メモリ２８に記憶されているＡＶアンプの動作プログラムに基づいて、ＡＶアンプ２０の各部を制御するものであり、例えば、マイコンやＣＰＵ等である。制御部２５は、操作部２６からの操作入力または各部からの制御信号およびデータに基づいて各種処理を実行する。
【００２６】
制御部２５は、ＣＥＣラインを介してＤＶＤプレーヤ１０の制御部１３に接続され、制御部１３とコマンドおよびデータを送受信する。また、制御部２５は、ＣＥＣラインを介してディスプレイ装置４０の制御部４４に接続され、制御部４４とコマンドおよびデータを送受信する。
【００２７】
メモリ２８には、図３に示すコマンド無効設定テーブルが格納されている。コマンド無効設定テーブルは、ＡＶアンプ２０に接続されている各ＤＶＤプレーヤについて、ディスプレイ装置４０および他の機器をスタンバイ状態にする際にも、（ＣＤを再生するなどの理由で）音声のみを再生するために、ＡＶアンプ２０と共に電源オン状態を維持するか否かを設定するテーブルである。つまり、コマンド無効設定テーブルは、ディスプレイ装置４０の制御部４４から送信されるシステムスタンバイコマンドを無効とするか否かをＤＶＤプレーヤ１０毎に設定するテーブルである。コマンド無効設定テーブルは、ＡＶアンプ２０のＨＤＭＩ入力（ＨＤＭＩセレクタでもよい。）に対応付けて、「ＹＥＳ」、「ＮＯ」が設定される。「ＹＥＳ」に設定されているＨＤＭＩ入力に接続されている機器は、ＡＶアンプ２０と共にディスプレイ装置４０からのシステムスタンバイコマンドを無効とし、スタンバイ状態に移行せずに、電源オン状態を維持することを意味する。「ＮＯ」に設定されているＨＤＭＩ入力に接続されている機器は、ディスプレイ装置４０からのシステムスタンバイコマンドを有効とし、スタンバイ状態に移行することを意味する。コマンド無効設定テーブルのすべてのＨＤＭＩ入力が「ＮＯ」に設定されている場合、ＡＶアンプ２０もディスプレイ装置４０からのシステムスタンバイコマンドを有効とし、スタンバイ状態に移行することを意味する。なお、コマンド無効設定テーブルは、最初は何も登録されておらず、ユーザ操作に応じて制御部２５によって設定される。
【００２８】
制御部２５は、ユーザ操作に応じてコマンド無効設定テーブルを設定した際に、「ＹＥＳ」が設定されているＨＤＭＩ入力に接続されているＤＶＤプレーヤ１０に、システムスタンバイコマンド無効設定指示をＣＥＣラインを介して送信し、「ＮＯ」が設定されているＨＤＭＩ入力に接続されているＤＶＤプレーヤ１０に、システムスタンバイコマンド有効設定指示をＣＥＣラインを介して送信する。また、制御部２５は、ユーザ操作によって、電源オフ指示が入力された際に、電源オフコマンドをＣＥＣラインを介してディスプレイ装置４０の制御部４４に送信する。
【００２９】
［ディスプレイ装置４０の構成］
ディスプレイ装置４０は、ＨＤＭＩ受信部４１と、画像処理部４２と、表示部４３と、制御部４４と、操作部４５と、メモリ４６と、コネクタ部４７（図１のＨＤＭＩ入力ＩＮ１に対応。）とを有している。なお、図１のＨＤＭＩ入力ＩＮ２に対応するコネクタ部は説明を簡単化するために記載を省略している。
【００３０】
ＨＤＭＩ受信部４１は、ＡＶアンプ２０のＨＤＭＩ送信部２３から送信されたＨＤＭＩデータを受信して、ＨＤＭＩデータから元の映像データを生成し、画像処理部４２に供給する。
【００３１】
画像処理部４２は、ＨＤＭＩ受信部４１から供給された映像データに映像処理を実行し、表示部４３に映像を表示させる。例えば、画像処理部４２は、映像データの明るさ及び色合い等を調整し、解像度変換等を実行する。表示部４３は、画像処理部４２から映像データが供給され、当該映像データに基づいて映像を表示するものであり、例えば、ＬＣＤまたはＰＤＰ等である。
【００３２】
制御部４４は、メモリ４６に格納されたディスプレイ装置の動作プログラムに基づいて、ディスプレイ装置の各部を制御するものであり、例えば、マイコンやＣＰＵ等である。制御部４４は、操作部４５からの操作入力または各部からの制御信号およびデータに基づいて各種処理を実行する。
【００３３】
制御部４４は、ユーザ操作によってディスプレイ装置の電源オフ指示が入力された際に、ＡＶアンプ２０やＤＶＤプレーヤ１０Ａ〜１０Ｃ等のＣＥＣラインを介して接続されている全機器にシステムスタンバイコマンドを送信し、その後、ディスプレイ装置４０をスタンバイ状態に移行させる。システムスタンバイコマンドは、ＣＥＣラインに接続されている全機器をスタンバイ状態にするコマンドであり、このコマンドによって、ユーザはディスプレイ装置４０に電源オフ指示を入力するだけで、ＣＥＣラインを介して接続されている全機器をスタンバイ状態にすることができる。また、ＡＶアンプ２０の制御部２５から電源オフコマンドを受信した際も、制御部４４は、ＡＶアンプ２０やＤＶＤプレーヤ１０Ａ〜１０Ｃ等のＣＥＣラインを介して接続されている全機器にシステムスタンバイコマンドを送信し、その後、ディスプレイ装置４０をスタンバイ状態に移行させる。
【００３４】
［コンテンツ送受信システムの動作］
図４は、コマンド無効設定テーブルが設定される際のＡＶアンプ２０の制御部２５の処理を示し、図５は、それに対するＤＶＤプレーヤ１０の制御部１３の処理を示す。図４に示すように、ＡＶアンプ２０の制御部２５は、ユーザ操作によって、コマンド無効設定テーブルが設定されたか否かを判断している（Ｓ１）。コマンド無効設定テーブルが設定された場合（Ｓ１でＹＥＳ）、制御部２５は、コマンド無効設定テーブルにおいて「ＹＥＳ」に設定されているＨＤＭＩ入力があるか否かを判断する（Ｓ２）。
【００３５】
図３（ａ）の場合には、ＨＤＭＩ入力ＩＮ１が「ＹＥＳ」に設定されているので（Ｓ２でＹＥＳ）、制御部２５は、システムスタンバイコマンドに対してＡＶアンプ２０が電源オン状態を維持するように、システムスタンバイコマンドを無効に設定する（メモリ２８に無効とすることを記憶する。）（Ｓ３）。そして、制御部２５は、「ＹＥＳ」に設定されているＨＤＭＩ入力に接続されている全てのＤＶＤプレーヤ１０にシステムスタンバイコマンド無効設定指示を、ＣＥＣラインを介して送信する（Ｓ５）。次に、制御部２５は、「ＮＯ」に設定されているＨＤＭＩ入力に接続されている全てのＤＶＤプレーヤ１０にシステムスタンバイコマンド有効設定指示を、ＣＥＣラインを介して送信する（Ｓ６）。
【００３６】
図３（ｂ）の場合には、全てのＨＤＭＩ入力が「ＮＯ」に設定されているので（Ｓ２でＮＯ）、制御部２５は、システムスタンバイコマンドに対してＡＶアンプ２０がスタンバイ状態に移行するように、システムスタンバイコマンドを有効に設定する（メモリ２８に有効とすることを記憶する。）（Ｓ４）。そして、制御部２５は、「ＮＯ」に設定されているＨＤＭＩ入力に接続されている全てのＤＶＤプレーヤ１０にシステムスタンバイコマンド有効設定指示を、ＣＥＣラインを介して送信する（Ｓ６）。
【００３７】
なお、コマンドの数を削減するために、「ＹＥＳ」、「ＮＯ」の設定が変更されたＤＶＤプレーヤ１０のみにシステムスタンバイコマンド無効設定指示またはシステムスタンバイコマンド有効設定指示を送信してもよい。
【００３８】
図５に示すように、各ＤＶＤプレーヤ１０の制御部１３は、ＡＶアンプ２０の制御部２５からＣＥＣラインを介してシステムスタンバイコマンド無効設定指示を受信したか否かを判断している（Ｓ１１）。受信した場合（Ｓ１１でＹＥＳ）、制御部１３は、システムスタンバイコマンドに対してＤＶＤプレーヤ１０が電源オン状態を維持するように、システムスタンバイコマンドを無効に設定する（Ｓ１２）。
【００３９】
また、各ＤＶＤプレーヤ１０の制御部１３は、ＡＶアンプ２０の制御部２５からＣＥＣラインを介してシステムスタンバイコマンド有効設定指示を受信したか否かを判断している（Ｓ１３）。受信した場合（Ｓ１３でＹＥＳ）、制御部１３は、システムスタンバイコマンドに対してＤＶＤプレーヤ１０がスタンバイ状態に移行するように、システムスタンバイコマンドを有効に設定する（Ｓ１４）。
【００４０】
従って、図３（ａ）の場合、ＨＤＭＩ入力ＩＮ１に接続されているＤＶＤプレーヤ１０Ａはシステムスタンバイコマンドを無効に設定し、ＨＤＭＩ入力ＩＮ２に接続されているＤＶＤプレーヤ１０Ｂはシステムスタンバイコマンドを有効に設定する。図３（ｂ）の場合、ＨＤＭＩ入力ＩＮ１に接続されているＤＶＤプレーヤ１０ＡおよびＨＤＭＩ入力ＩＮ２に接続されているＤＶＤプレーヤ１０Ｂは共にシステムスタンバイコマンドを有効に設定する。
【００４１】
図６は、ユーザ操作によって電源オフ指示がＡＶアンプ２０又はディスプレイ装置４０に入力される際の、ＡＶアンプ２０の制御部２５の処理を示し、図７はディスプレイ装置４０の制御部４４の処理を示し、図８は各ＤＶＤプレーヤ１０の制御部１３の処理を示す。図６に示すように、ＡＶアンプ２０の制御部２５は、ユーザ操作によってＡＶアンプ２０に電源オフ指示が入力されたか否かを判断している（Ｓ２１）。入力された場合（Ｓ２１でＹＥＳ）、制御部２５は、ディスプレイ装置４０の制御部４４にＣＥＣラインを介して電源オフコマンドを送信する（Ｓ２２）。なお、この時点ではＡＶアンプ２０はスタンバイ状態には移行しない。
【００４２】
図７に示すように、ディスプレイ装置４０の制御部４４は、ユーザ操作によってディスプレイ装置４０に電源オフ指示が入力されたか否かを判断する（Ｓ３１）。入力された場合（Ｓ３１でＹＥＳ）、Ｓ３３に進む。一方、入力されない場合（Ｓ３１でＮＯ）、制御部４４は、ＡＶアンプ２０の制御部２５からＣＥＣラインを介して電源オフコマンドを受信したか否かを判断する（Ｓ３２）。受信した場合（Ｓ３２でＹＥＳ）、Ｓ３３に進む。
【００４３】
Ｓ３３では、制御部４４は、ＣＥＣラインに接続されている全機器（図１では、ＡＶアンプ２０、ＤＶＤプレーヤ１０Ａ〜１０Ｃ）にシステムスタンバイコマンドを、ＣＥＣラインを介して送信する（Ｓ３３）。その後、制御部４４は、ディスプレイ装置４０をスタンバイ状態に移行させる（Ｓ３４）。
【００４４】
図６に示すように、ＡＶアンプ２０の制御部２５は、ディスプレイ装置４０の制御部４４からＣＥＣラインを介してシステムスタンバイコマンドを受信したか否かを判断する（Ｓ２３）。受信した場合（Ｓ２３でＹＥＳ）、制御部２５は、システムスタンバイコマンドが有効に設定されているか否かを判断する（Ｓ２４）。図３（ｂ）の場合、ＡＶアンプ２０はシステムスタンバイコマンドが有効に設定されているので（Ｓ２４でＹＥＳ）、制御部２５は、ＡＶアンプ２０をスタンバイ状態に移行させる（Ｓ２５）。図３（ａ）の場合、ＡＶアンプ２０はシステムスタンバイコマンドが無効に設定されているので（Ｓ２４でＮＯ）、制御部２５は、ＡＶアンプ２０をスタンバイ状態に移行させず、電源オン状態を維持する。（Ｓ２６）。
【００４５】
図８に示すように、各ＤＶＤプレーヤ１０の制御部１３は、ディスプレイ装置４０の制御部４４からＣＥＣラインを介してシステムスタンバイコマンドを受信したか否かを判断する（Ｓ４１）。受信した場合（Ｓ４１でＹＥＳ）、制御部１３は、システムスタンバイコマンドが有効に設定されているか否かを判断する（Ｓ４２）。システムスタンバイコマンドが有効に設定されている場合（Ｓ４２でＹＥＳ）、制御部１３は、ＤＶＤプレーヤ１０をスタンバイ状態に移行させる（Ｓ４３）。システムスタンバイコマンドが無効に設定されている場合（Ｓ４２でＮＯ）、制御部１３は、ＤＶＤプレーヤ１０をスタンバイ状態に移行させず、電源オン状態を維持する。（Ｓ４４）。
【００４６】
図３（ａ）の場合、ＨＤＭＩ入力ＩＮ１に接続されているＤＶＤプレーヤ１０Ａは電源オン状態を維持し、ＨＤＭＩ入力ＩＮ２に接続されているＤＶＤプレーヤ１０Ｂはスタンバイ状態に移行する。図３（ｂ）の場合、ＨＤＭＩ入力ＩＮ１に接続されているＤＶＤプレーヤ１０Ａ、および、ＨＤＭＩ入力ＩＮ２に接続されているＤＶＤプレーヤ１０Ｂはスタンバイ状態に移行する。なお、図１に示すＤＶＤプレーヤ１０Ｃは、ＡＶアンプ２０に接続されていないので、システムスタンバイコマンド無効設定指示を受信することがなく、その結果、システムスタンバイコマンドに応じて常にスタンバイ状態に移行する。
【００４７】
以上の処理によって、ＤＶＤを再生する状態からＣＤを再生する状態に変更する際にユーザ操作によってディスプレイ装置４０をスタンバイ状態に移行させる場合にも、コマンド無効設定テーブルにおいてＣＤを再生するＤＶＤプレーヤ１０が接続されたＨＤＭＩ入力を「ＹＥＳ」に設定しておくことによって、当該ＤＶＤプレーヤ１０とＡＶアンプ２０とを電源オン状態に維持させることができる。
【００４８】
次に、本発明の別の好ましい実施形態について説明する。本例では、ＡＶアンプ２０のＨＤＭＩ入力が１つしか存在せず、１つのＤＶＤプレーヤ１０しか接続することができない。又は、図１のように複数のＤＶＤプレーヤ１０が接続可能であるが、システムスタンバイコマンドを無効に設定できるＤＶＤプレーヤ１０（ＨＤＭＩ入力）が予め１つだけに決定されている。本例では、図３のコマンド無効設定テーブルを有していなくてもよく、ＡＶアンプ２０は、ユーザ操作によってＡＶアンプ２０及び所定のＨＤＭＩ入力に接続されたＤＶＤプレーヤ１０の双方について、システムスタンバイコマンドを有効とするか、無効とするかを設定すればよい。
【００４９】
図９は、制御部２５の処理を示す図であり、先の実施形態では図４の処理に対応している。なお、その他の処理は図５〜図８と同じである。制御部２５は、ユーザ操作によって、システムスタンバイコマンドを有効にする指示が入力されたか否かを判断する（Ｓ５１）。入力された場合（Ｓ５１でＹＥＳ）、制御部２５は、ＡＶアンプ２０がシステムスタンバイコマンドに応じてスタンバイ状態に移行するように、システムスタンバイコマンドを有効に設定する（Ｓ５３）。そして、制御部２５は、ＤＶＤプレーヤ１０の制御部１３にＣＥＣラインを介して、システムスタンバイコマンド有効設定指示を送信する（Ｓ５４）。したがって、ＤＶＤプレーヤ１０にもシステムスタンバイコマンドを有効に設定させる。また、制御部２５は、ユーザ操作によって、システムスタンバイコマンドを無効にする指示が入力されたか否かを判断する（Ｓ５２）。入力された場合（Ｓ５２でＹＥＳ）、制御部２５は、ＡＶアンプ２０がシステムスタンバイコマンドに応じてスタンバイ状態に移行しないようにシステムスタンバイコマンドを無効に設定する（Ｓ５５）。そして、制御部２５は、ＤＶＤプレーヤ１０の制御部１３にＣＥＣラインを介して、システムスタンバイコマンド無効設定指示を送信する（Ｓ５６）。従って、ＤＶＤプレーヤ１０にもシステムスタンバイコマンドを無効に設定させる。
【００５０】
［変形例１］
ＤＶＤプレーヤ１０にユーザ操作によってシステムスタンバイコマンドを有効または無効にする指示が入力され、ＤＶＤプレーヤ１０が当該ユーザ操作に応じて、システムスタンバイコマンドを有効または無効に設定する。そして、ＤＶＤプレーヤ１０からＡＶアンプ２０にシステムスタンバイコマンド有効設定指示またはシステムスタンバイコマンド無効設定指示が送信される。ＡＶアンプ２０は、ＤＶＤプレーヤ１０からのシステムスタンバイコマンド有効設定指示またはシステムスタンバイコマンド無効設定指示に応じて、システムスタンバイコマンドを有効または無効に設定する。
【００５１】
［変形例２］
ＤＶＤプレーヤ１０にユーザ操作に応じてスタンバイ状態に移行する指示が入力され、ＤＶＤプレーヤ１０から他の全機器にシステムスタンバイオフコマンドが送信された後、ＤＶＤプレーヤ１０がスタンバイ状態に移行する場合を考える。このとき、ＡＶアンプ２０とディスプレイ装置４０とはシステムスタンバイ状態を無効とし、電源オン状態を維持することによって、ディスプレイ装置４０がＴＶ受像器である場合に、ＴＶの音声信号をＡＶアンプ２０に送信し、ＡＶアンプ２０でＴＶの音声信号を再生できる。つまり、ＤＶＤプレーヤ１０によってＤＶＤを再生している状態から、ＴＶを視聴する状態に変更する際に、ＤＶＤプレーヤ１０をスタンバイ状態に移行させた場合も、ＡＶアンプ２０およびＴＶ受像器は電源オン状態を維持するので、ＡＶアンプ２０およびＴＶ受像器を再度電源オン状態に移行させる指示を入力する必要がない。
【００５２】
詳細には、ＡＶアンプ２０にユーザ操作によってシステムスタンバイコマンドを有効または無効にする指示が入力され、ＡＶアンプ２０が当該ユーザ操作に応じて、システムスタンバイコマンドを有効または無効に設定する。そして、ＡＶアンプ２０からＴＶ受像器にシステムスタンバイコマンド有効設定指示またはシステムスタンバイコマンド無効設定指示が送信される。ＴＶ受像器は、ＡＶアンプ２０からのシステムスタンバイコマンド有効設定指示またはシステムスタンバイコマンド無効設定指示に応じて、システムスタンバイコマンドを有効または無効に設定する。
【００５３】
または、ＴＶ受像器にユーザ操作によってシステムスタンバイコマンドを有効または無効にする指示が入力され、ＴＶ受像器が当該ユーザ操作に応じて、システムスタンバイコマンドを有効または無効に設定する。そして、ＴＶ受像器からＡＶアンプ２０にシステムスタンバイコマンド有効設定指示またはシステムスタンバイコマンド無効設定指示が送信される。ＡＶアンプ２０は、ＴＶ受像器からのシステムスタンバイコマンド有効設定指示またはシステムスタンバイコマンド無効設定指示に応じて、システムスタンバイコマンドを有効または無効に設定する。
【００５４】
以上の変形例を全て包含するために、ユーザ操作によってシステムスタンバイを有効または無効にする指示が入力される機器を第１機器といい、第１機器からのコマンドに応じてシステムスタンバイを有効または無効に設定する機器を第２機器といい、システムスタンバイコマンドを第１機器及び第２機器に送信する機器を第３機器と定義する。
【００５５】
以上、本発明の好ましい実施形態を説明したが、本発明はこれらの実施形態には限定されない。ＨＤＭＩのＣＥＣラインの代わりに、他の通信ライン（例えば、ＩＥＥＥ１３９４、ＤＶＩ、ＬＡＮ、ＵＳＢ等）が使用されてもよい。電源オフ状態は、スタンバイ状態に限定されず、ハイバネート状態などの他の省エネモードであってもよい。ＤＶＤプレーヤの代わりに、ＨＤＤレコーダ、ＢＤプレーヤ等の他のソース機器が使用されてもよい。また、ＤＶＤプレーヤ、ＡＶアンプ、ディスプレイ装置の上記動作をコンピュータに実行させるためのプログラムおよびこれを記録した記録媒体という形態で提供されてもよい。
【産業上の利用可能性】
【００５６】
本発明は、ＤＶＤプレーヤ、ＡＶアンプ等に好適に採用され得る。
【符号の説明】
【００５７】
１０            ＤＶＤプレーヤ
２０            ＡＶアンプ
４０            ディスプレイ装置
【図１】
0005387312.tif 000002
【図２】
0005387312.tif 000003
【図３】
0005387312.tif 000004
【図４】
0005387312.tif 000005
【図５】
0005387312.tif 000006
【図６】
0005387312.tif 000007
【図７】
0005387312.tif 000008
【図８】
0005387312.tif 000009
【図９】
0005387312.tif 000010